(57)【要約】【課題】インテグレータロッドの位置調整時における反射ミラーの熱溶融を回避してインテグレータロッドの交換を不要なものとしコストの低廉化を図ることができるとともに、プロジェクタの高輝度化を図る上での障害となることのないインテグレータロッドの光結合方法及びプロジェクタを提供する。【解決手段】中央部に開口部６ｃを有する反射ミラー６Ｃを光入射面に備えたプロジェクタ用のインテグレータロッド６Ａを位置調整することにより、光源５からの射出光が前記開口部６ｃに正しく入射するように前記光源５と前記インテグレータロッド６Ａとを光学的に結合する方法であって、前記インテグレータロッド６Ａを位置調整するにあたり、前記光源５から前記インテグレータロッド６Ａに入射する光を例えば減光フィルタ２１によって減光することを特徴とするインテグレータロッドの光結合方法。【選択図】      図３
2004170615.tif 000002
【特許請求の範囲】
【請求項１】
中央部に開口部を有する反射ミラーを光入射面に備えたプロジェクタ用のインテグレータロッドを位置調整することにより、光源からの射出光が前記開口部に正しく入射するように前記光源と前記インテグレータロッドとを光学的に結合する方法であって、
前記インテグレータロッドを位置調整するにあたり、前記光源から前記インテグレータロッドに入射する光を減光することを特徴とするインテグレータロッドの光結合方法。
【請求項２】
請求項１に記載のインテグレータロッドの光結合方法において、前記光源に供給する電圧を低くして減光することを特徴とするインテグレータロッドの光結合方法。
【請求項３】
請求項１に記載のインテグレータロッドの光結合方法において、前記光源からの入射光を減光フィルタによって減光することを特徴とするインテグレータロッドの光結合方法。
【請求項４】
請求項３に記載のインテグレータロッドの光結合方法において、前記減光フィルタを、丸形状の開口部を有する絞りとすることを特徴とするインテグレータロッドの光結合方法。
【請求項５】
請求項３に記載のインテグレータロッドの光結合方法において、前記減光フィルタを、矩形状の開口部を有するスリット板とすることを特徴とするインテグレータロッドの光結合方法。
【請求項６】
請求項３に記載のインテグレータロッドの光結合方法において、前記減光フィルタをハーフミラーとすることを特徴とするインテグレータロッドの光結合方法。
【請求項７】
請求項３に記載のインテグレータロッドの光結合方法において、前記減光フィルタを光吸収用フィルタとすることを特徴とするインテグレータロッドの光結合方法。
【請求項８】
光源から射出する光をより均一な光強度分布をもつ光に変換するインテグレータロッドを備えたプロジェクタにおいて、
前記インテグレータロッドは、請求項１〜７のいずれかに記載のインテグレータトッドの光結合方法による位置調整を経て前記光源の射出側に固定されてなることを特徴とするプロジェクタ。
【請求項９】
請求項８に記載のプロジェクタにおいて、前記インテグレータロッドからの出射光のうち特定波長域の色光を選択的に反射及び透過させる回転色フィルタをさらに備えたことを特徴とするプロジェクタ。
【発明の詳細な説明】
【０００１】
【発明の属する技術分野】
本発明は、インテグレータロッドの光結合方法及びプロジェクタに関する。
【０００２】
【従来の技術】
図５は、ＳＣＲ（Ｓｅｑｕｅｎｔｉａｌ  Ｃｏｌｏｒ  Ｒｅｃａｐｔｕｒｅ）方式によるプロジェクタを示す平面図である。このＳＣＲ方式によるプロジェクタは、１個の電気光学変調装置を用いるいわゆる単板方式のプロジェクタでありながら光利用効率の高い優れたプロジェクタである（例えば、特許文献１参照。）。
【０００３】
このＳＣＲ方式によるプロジェクタは、図５に示されるように、複数の波長域の光（白色光）を射出する光源ランプ４１Ｂを有する光源４１と、この光源４１からの光（光源光）Ｗの光強度分布をより均一化するためのインテグレータロッド３２と、このインテグレータロッド３２からの光を時分割して濾波するための回転色フィルタ（回転時分割色フィルタ）４３と、この回転色フィルタ４３からの光を画像信号に応じて変調する電気光学変調装置４６と、この電気光学変調装置４６により変調された光をスクリーンＳＣ上に投写画像として表示する投写レンズ（図示せず。）とを備えている。
【０００４】
回転色フィルタ４３は駆動モータ４４によって高速回転することにより、インテグレータロッド３２からの光を各色光ごとに濾波（透過又は反射）する。そして、回転色フィルタを透過した色光は電気光学変調装置４６の所定領域に導かれてカラー画像信号に応じて変調された後投写光として有効に利用される一方、回転色フィルタ４３で反射された光Ｗ１は光源４１のリフレクタにより反射され、反射光Ｗ２となった後再びインテグレータロッド３２に入射し光の再利用が図られる。
【０００５】
このように、図５に示されたプロジェクタは光利用効率の高い優れたプロジェクタであるが、回転色フィルタ４３により反射された光源光を、インテグレータロッドの入射側端面中央部に開口部を有する反射ミラーで反射することにより、光利用効率がさらに高められた構成のプロジェクタも提案されている。
【０００６】
図６は、上記した光利用効率がさらに高められた構成のプロジェクタに用いられるインテグレータロッドの斜視図を示す図である。このインテグレータロッド４２は、図６に示されるように、インテグレータロッド４２の入射側端面中央部に開口部４９ａを有する反射ミラー４９が取り付けられている。
【０００７】
図６に示されたインテグレータロッド４２の機能を図７を参照しながら説明する。図７は、図６のインテグレータロッドを示す側面図である。図７に示されるように、インテグレータロッド４２においては、光源４１からの光（光源光）Ｗが反射ミラー４９の開口部４９ａ（アパーチャ）からインテグレータロッド４２中に入射すると、インテグレータロッド界面４２ａ１で反射を繰り返してインテグレータロッド４２の光射出面から射出される。
このとき、光源光Ｗのうち赤色光Ｒが回転色フィルタ４３の第１セグメント４３ｒを透過する。また、残りの光源光ＧＢは第１セグメント４３ｒで反射される。このため、光源光ＧＢはインテグレータロッド４２中を光源方向に進んで反射ミラー４９に入射し、この反射ミラー４９で反射されてインテグレータロッド４２中を回転色フィルタ方向に進んだ後、インテグレータロッド４２の光射出面から射出される。
【０００８】
このとき、残りの光源光ＧＢのうち緑色光Ｇが回転色フィルタ４３の第２セグメント４３ｇを透過する。また、残りの光源光Ｂは第２セグメント４３ｇで反射される。このため、光源光Ｂはインテグレータロッド４２中を光源方向に進んで反射ミラー４９に入射し、この反射ミラー４９で反射されてインテグレータロッド４２中を回転色フィルタ方向に進んだ後、インテグレータロッド４２の光射出面から射出される。
このとき、残りの光源光Ｂ（すなわち青色光Ｂ）が回転色フィルタ４３の第３セグメント４３ｂを透過する。このようにして、光源光Ｗは、そのほとんどの光が、赤色光、緑色光、青色光に分離されて、効率よく後段の光学系へと射出されることになる。
【０００９】
ところで、前記したプロジェクタを組み立てる場合、光源４１からの光をインテグレータロッド４２に、またインテグレータロッド４２からの光を後段の光学系にそれぞれ正しくかつ効率よく入射させるために、インテグレータロッド４２をその中心軸と光源４１及び後段の光学系の各光軸とが一致（光学的に結合）するように位置調整してインテグレータロッドと光源４１及び後段の光学系との光結合を行っている。
【００１０】
【特許文献１】
特開２００１−２４２４１６号公報（図８，図９，図１４）
【００１１】
【発明が解決しようとする課題】
しかしながら、従来のインテグレータロッドの光結合方法においては、インテグレータロッド４２の位置調整時にその中心軸と光源４１の光軸とがずれると、光源４１からの光がインテグレータロッド４２のアパーチャ（反射ミラー４９の開口部４９ａ）に正しく入射せず反射ミラー４９に集光される結果、反射ミラー４９の温度が上昇して（光ビーム径４ｍｍで１０００℃近くになる）、熱溶融することがあった。この結果、インテグレータロッド４２を新規のインテグレータロッドと交換する必要が生じ、コストが嵩むという問題点があった。
また、上記のため、インテグレータロッドと光源４１及び後段の光学系との光学結合を適切に行うのが容易ではないため、光利用効率を向上させてプロジェクタの高輝度化を図る上での障害となるという問題点があった。
【００１２】
そこで、本発明は、このような問題点を解決するためになされたもので、インテグレータロッドの位置調整時における反射ミラーの熱溶融を回避してインテグレータロッドの交換を不要なものとすることができ、もってコストの低廉化を図ることができ、併せてプロジェクタの高輝度化を図る上での障害となることのないインテグレータロッドの光結合方法及びプロジェクタを提供することを目的とする。
【００１３】
【課題を解決するための手段】
前記した目的を達成するためになされた本発明に係るインテグレータロッドの光結合方法は、中央部に開口部を有する反射ミラーを光入射面に備えたプロジェクタ用のインテグレータロッドを位置調整することにより、光源からの射出光が前記開口部に入射するように前記光源と前記インテグレータロッドとを光学的に結合する方法であって、
前記インテグレータロッドを位置調整するにあたり、前記光源から前記インテグレータロッドに入射する光を減光することを特徴とする。
【００１４】
本発明のインテグレータロッドの光学結合方法によれば、光源からインテグレータロッドに入射する光を減光してインテグレータロッドの位置調整を行うため、インテグレータロッドの位置調整時にその中心軸と光源の光軸とがずれ光源からの光がインテグレータの反射ミラーに集光されても、反射ミラーの温度上昇による熱溶融を回避することができる。
これにより、反射ミラーの熱溶融によるインテグレータロッドの交換を不要なものとすることができ、コストの低廉化を図ることができる。
【００１５】
また、本発明のインテグレータロッドの光学結合方法によれば、インテグレータロッドの中心軸と光源及び回転色フィルタの各光軸とが一致するように位置調整してインテグレータロッドと光源及び後段の光学系との光学結合を容易に行うことができるため、光源からの光をインテグレータロッドに、またインテグレータロッドからの光を後段の光学系にそれぞれ効率よく入射させることが容易にできるようになり、プロジェクタの高輝度化を図る上での障害になることもなくなる。
【００１６】
本発明のインテグレータロッドの光学結合方法においては、前記光源に供給する電圧を低くして減光することが好ましい。このような方法とすることにより、このような方法であるため、光源からインテグレータロッドに入射する光の減光を、光源に供給する電圧を低くしてインテグレータロッドへの入射光量を減少させることにより、容易に行うことができる。
【００１７】
また、本発明のインテグレータロッドの光学結合方法においては、前記光源からの入射光を減光フィルタによって減光することも好ましい。このような方法とすることにより、光源からインテグレータロッドに入射する光の減光を、インテグレータロッドへの入射光量を減光フィルタで減少させることにより、容易に行うことができる。
【００１８】
ここで、本発明のインテグレータロッドの光学結合方法においては、前記減光フィルタを、丸形状の開口部を有する絞りとすることが好ましい。このような方法とすることにより、光源からインテグレータロッドに入射する光の減光を、インテグレータロッドへの入射光量を絞りの開口部で減少させることにより、容易に行うことができる。
【００１９】
また、本発明のインテグレータロッドの光学結合方法においては、前記減光フィルタを、矩形状の開口部を有するスリット板とすることもまた好ましい。このような方法とすることにより、光源からインテグレータロッドに入射する光の減光を、インテグレータロッドへの入射光量をスリット板の開口部で減少させることにより、容易に行うことができる。
【００２０】
また、本発明のインテグレータロッドの光学結合方法においては、前記減光フィルタをハーフミラーとすることもまた好ましい。このような方法とすることにより、光源からインテグレータロッドに入射する光の減光を、インテグレータロッドへの入射光量をハーフミラーで減少させることにより、容易に行うことができる。
【００２１】
さらにまた、本発明のインテグレータロッドの光学結合方法においては、前記減光フィルタを光吸収用フィルタとすることもまた好ましい。このような方法とすることにより、光源からインテグレータロッドに入射する光の減光を、インテグレータロッドへの入射光量を光吸収用フィルタで減少させることにより、容易に行うことができる。
【００２２】
一方、本発明のプロジェクタは、光源から射出する光をより均一な光強度分布をもつ光に変換するインテグレータロッドを備えたプロジェクタにおいて、
前記インテグレータロッドは、上記したインテグレータトッドの光結合方法による位置調整を経て前記光源の射出側に固定されてなることを特徴とする。
【００２３】
本発明のプロジェクタによれば、インテグレータロッドの位置調整時に光源からインテグレータロッドに入射する光が減光されるため、インテグレータロッドの位置調整時にその中心軸と光源の光軸とがずれ、光源からの光がインテグレータの反射ミラーに集光されても、反射ミラーの温度上昇による熱溶融を回避することができる。
これにより、反射ミラーの熱溶融によるインテグレータロッドの交換を不要なものとすることができ、コストの低廉化を図ることができる。
【００２４】
本発明のプロジェクタは、前記インテグレータロッドからの出射光のうち特定波長域の色光を選択的に反射及び透過させる回転色フィルタをさらに備えたものであることが好ましい。
【００２５】
本発明のプロジェクタによれば、光源と回転色フィルタとをインテグレータロッドによって光結合する場合に、光源からインテグレータロッドに入射する光が減光されるため、インテグレータロッドの位置調整時にその中心軸と光源の光軸とがずれ、光源からの光がインテグレータの反射ミラーに集光されても、反射ミラーの温度上昇による熱溶融を回避することができる。
これにより、反射ミラーの熱溶融によるインテグレータロッドの交換を不要なものとすることができ、コストの低廉化を図ることができる。
【００２６】
【発明の実施の形態】
以下、本発明が適用されたプロジェクタ及びインテグレータロッドの光結合方法につき、図に示す実施の形態に基づいて説明する。先ず、プロジェクタにつき、図１（ａ）及び（ｂ）を用いて説明する。図１（ａ）及び（ｂ）は、本発明の実施形態に係るプロジェクタを示す平面図と斜視図である。
図１において、符号１で示すプロジェクタ（プロジェクタ）は、照明装置２とライトバルブ３と投写レンズ４とによって大略構成されている。
【００２７】
照明装置２は、光源５とインテグレータ光学系６と回転色フィルタ７とリレー光学系８とを備えている。
光源５は、光源ランプ５Ａ及びリフレクタ５Ｂを有している。光源ランプ５Ａには例えば高圧水銀ランプが用いられている。リフレクタ５Ｂには楕円面鏡や球面鏡が用いられている。光源５とインテグレータ光学系６との間にはガラス板５Ｃが配置されている。
なお、リフレクタ５Ｂとしては、放物面鏡を用いることもできる。この場合、光源ランプ５Ａから射出された光軸に略平行な放射光を集光してインテグレータ光学系６に入射するためのレンズが必要となる。
【００２８】
インテグレータ光学系６は、インテグレータロッド（導光ロッド）６Ａ及び伝達レンズ６Ｂを有し、光源５とリレー光学系８との間に配置されている。
図２は、実施形態に係るインテグレータロッドを示す側面図である。図２に示されるように、インテグレータロッド６Ａは、中実ロッドによって形成されている。このインテグレータロッド６Ａには、光源５からの光を全反射させる界面６ａ１が形成されている。そして、光源５から入射した不均一な光強度分布をもつ光を、界面６ａ１において全反射を繰り返すことにより均一な光強度分布をもつ光に変換し、光射出側から射出するように構成されている。
【００２９】
インテグレータロッド６Ａの入射側端面には、光源５からの射出光をインテグレータロッド６Ａに入射させるために、中央部に開口部６ｃを有する金属製の反射ミラー６Ｃが配設されている。そして、光源５からの出射光を光源側に、また回転色フィルタ７からの反射光をこの回転色フィルタ７側にそれぞれ反射させるように構成されている。
なお、インテグレータロッド６Ａとしては、界面に例えばＡｇ（銀）等の金属を蒸着してなる中空ロッドによって形成してもよい。
【００３０】
伝達レンズ６Ｂは、単数のレンズからなり、インテグレータロッド６Ａ（及び回転色フィルタ７）の射出側に配置されている。そして、インテグレータロッド６Ａ（光源５）からの光を照明対象側に導くように構成されている。
【００３１】
回転色フィルタ７は、第１セグメント７ｒ〜第３セグメント７ｂを有し、駆動モータ７Ａによって高速回転するカラーホイールによって形成されている。そして、インテグレータロッド６Ａからの光を時分割して濾波するように、すなわちインテグレータロッド６Ａからの出射光Ｗのうち特定波長域の色光を、領域毎に、選択的に反射及び透過させるように構成されている。これにより、第１の波長域の光（赤色光Ｒ）が回転色フィルタ７の第１セグメント７ｒを透過し、第２の波長域の光（緑色光Ｇ）が回転色フィルタ７の第２セグメント７ｇを透過する。また、第３の波長域の光（青色光Ｂ）が第３セグメント７ｂを透過する。
【００３２】
リレー光学系８は、入射側レンズ８Ａとリレーレンズ（フィールドレンズ）８Ｂと射出側レンズ８Ｃとを有し、伝達レンズ６Ｂの射出側に配置されている。そして、インテグレータ光学系６（伝達レンズ６Ｂ）から射出された光を電気光学変調装置側に導くように構成されている。
なお、リレー光学系８の構成は３つのレンズ８Ａ〜８Ｃからなる場合について説明したが、本発明はこれに限定されず、リレーレンズ８Ｂのみからなるものでもよい。
【００３３】
電気光学変調装置３は、例えば反射型液晶パネルや反射型マイクロミラーデバイスのような電気光学変調装置からなり、リレー光学系８の射出側に配置されている。そして、照明装置２（リレー光学系８）から射出された各色光が反射ミラー９で反射されると、これら反射光を受けて画像信号（画像情報）に応じて変調し、この変調された光を反射光（表示画像）としてスクリーンＳＣ側（図示せず。）に射出するように構成されている。このとき、このとき、反射ミラー９は、照明装置２（リレー光学系８）から射出された各色光を反射する一方、反射型電気光学変調装置により変調された光を透過する。投写レンズ４は、電気光学変調装置３の射出側に配置されている。そして、電気光学変調装置３から射出された変調光（反射光）を投写画像としてスクリーンＳＣ上に投写表示するように構成されている。
【００３４】
以上の構成により、光源５から射出された光がインテグレータ光学系６及び回転色フィルタ７等を介して電気光学変調装置３に入射して変調され、この変調光が投写レンズ４によってスクリーンＳＣ上に投写表示される。
【００３５】
この場合、図２に示されるように、光源５（図１に図示）からの光（光源光）Ｗが反射ミラー６Ｃの開口部６ｃ（アパーチャ）からインテグレータロッド６Ａ中に入射すると、インテグレータロッド界面６ａ１で反射を繰り返してインテグレータロッド６Ａの光射出面から射出される。
【００３６】
このとき、光源光Ｗのうち赤色光Ｒが回転色フィルタ７の第１セグメント７ｒを透過する。また、残りの光源光ＧＢは第１セグメント７ｒで反射される。このため、光源光ＧＢはインテグレータロッド７中を光源方向に進んで反射ミラー７に入射し、この反射ミラー７で反射されてインテグレータロッド６Ａ中を回転色フィルタ方向に進んだ後、インテグレータロッド６Ａの光射出面から射出される。
このとき、光源光ＧＢのうち緑色光Ｇが回転色フィルタ７の第２セグメント７ｇを透過する。また、残りの光源光Ｂは第２セグメント７ｇで反射される。このため、光源光Ｂはインテグレータロッド６Ａ中を光源方向に進んで反射ミラー４９に入射し、この反射ミラー４９で反射されてインテグレータロッド４２中を回転色フィルタ方向に進んだ後、インテグレータロッド６Ａの光射出面から射出される。
【００３７】
このとき、残りの光源光Ｂ（すなわち青色光Ｂ）が回転色フィルタ７の第３セグメント７ｂを透過する。このようにして、光源光Ｗは、そのほとんどの光が、赤色光Ｒ、緑色光Ｇ及び青色光Ｇに分離されて、効率よく後段の光学系へと射出されることになる。
その結果、電気光学変調装置３の画像形成領域においては、互いに異なる領域を三原色の色光Ｒ，Ｇ，Ｂが照射し、これら照射光が回転色フィルタ７の回転に同期して変調される。
【００３８】
次に、本実施形態におけるインテグレータロッドの光結合方法につき、図３を用いて説明する。図３は、本発明の実施形態に係るプロジェクタにおけるインテグレータロッドの光結合方法を説明するために示す平面図である。
本光結合方法は、図３に示すように、インテグレータロッド６Ａを位置調整することにより、光源５と回転色フィルタ７（ライトバルブ３）とを光学的に結合する方法であって、インテグレータロッド６Ａを位置調整するにあたり、光源５からインテグレータロッド６Ａに入射する光を減光フィルタ２１で減光することにより実施される。このため、減光フィルタ２１が光源５とインテグレータロッド６Ａとの間に配置される。これにより、光源５からインテグレータロッド６Ａに入射する光の減光を機械的に行うことができる。
なお、インテグレータロッド６Ａの位置調整時における光源５からの出射光の光強度は、光源５と反射ミラー６Ｃ間の距離や反射ミラー６Ｃに使用する材料の溶融温度等を考慮して設定される。
【００３９】
この場合、減光フィルタ２１としては、次の（ａ）〜（ｄ）に示す減光フィルタが用いられる。これら減光フィルタにつき、図４（ａ）〜（ｄ）を参照して説明する。図４（ａ）〜（ｄ）は、本発明の実施形態に係るインテグレータロッドの光結合方法に用いる減光フィルタを示す斜視図である。
【００４０】
（ａ）図４（ａ）に示すように、丸形状の開口部２１ａを有する絞り２１Ａを減光フィルタとして用いる。そして、インテグレータロッド６Ａの位置調整時には、絞り２１Ａをその開口部２１ａに光源ランプ５Ａからの照明光が通過するように光源５の光軸上に配置する。これにより、光源５からインテグレータロッド６Ａに入射する光が減光される。
【００４１】
（ｂ）図４（ｂ）に示すように、矩形状の開口部（スリット）２１ｂを有するスリット板２１Ｂを減光フィルタとして用いる。そして、インテグレータロッド６Ａの位置調整時にはスリット板２１Ｂをその開口部２１ｂに光源ランプ５Ａからの照明光が通過するように光源５の光軸上に配置する。これにより、光源５からインテグレータロッド６Ａに入射する光が減光される。
【００４２】
（ｃ）図４（ｃ）に示すように、ハーフミラー２１Ｃを減光フィルタとして用いる。そして、インテグレータロッド６Ａの位置調整時には、ハーフミラー２１Ｃをその入射面に光源ランプ５Ａからの照明光が直角に入射するように光源５の光軸上に配置する。これにより、光源５からインテグレータロッド６Ａに入射する光が減光される。
【００４３】
（ｄ）図４（ｄ）に示すように、光吸収用フィルタ２１Ｄを減光フィルタとして用いる。そして、インテグレータロッド６Ａの位置調整時には、吸収用フィルタ２１Ｄをその入射面に光源ランプ５Ａからの照明光が直角に入射するように光源５の光軸上に配置する。これにより、光源５からインテグレータロッド６Ａに入射する光が減光される。
【００４４】
したがって、本実施形態においては、インテグレータロッド６Ａの位置調整を、光源５からインテグレータロッド６Ａに入射する光を減光することにより行われる。これにより、インテグレータロッド６Ａの位置調整時にその中心軸と光源５の光軸とがずれ、光源５からの光がインテグレータロッド６Ａの反射ミラー６Ｃに集光されても、反射ミラー６Ｃの温度上昇による熱溶融を回避することができる。このため、反射ミラー６Ｃの熱溶融によるインテグレータロッド６Ａの交換を不要なものとすることができ、コストの低廉化を図ることができる。
【００４５】
また、本実施形態においては、インテグレータロッド６Ａの中心軸と光源５及び後段の光学系の各光軸とが一致するように位置調整してインテグレータロッド６Ａと光源５及び後段の光学系との光学結合を容易に行うことができるため、光源５からの光をインテグレータロッド６Ａに、またインテグレータロッド６Ａからの光を後段の光学系にそれぞれ正しくかつ効率よく入射させることが容易にできるようになり、プロジェクタの高輝度化を図る上での障害になることもなくなる。
【００４６】
なお、本実施形態におけるインテグレータロッド６Ａの位置調整は、次に示すようにして行われる。
まず、照明装置２（インテグレータロッド６Ａを除く）、電気光学変調装置３、投写レンズ４等を装置筐体（図示せず）内における所定の位置に固定する。次に、光源５と回転色フィルタ７との間に調整治具（図示せず）を介してインテグレータロッド６Ａを配置する。そして、光源ランプ５Ａに電力を供給した後、インテグレータロッド６Ａの入射側端部と光源ランプ５Ａとの位置調整を行いながら光学的に結合し、この状態のままインテグレータロッド６Ａの出射側端部とライトバルブ３とを光学的に結合する。この後、インテグレータロッド６Ａを装置筐体内（光源５の射出側）に接着固定してから、調整治具を取り除く。
【００４７】
本実施形態においては、光源５から回転色フィルタ７（ライトバルブ３）に入射する光を減光フィルタ２１によって減光する場合について説明したが、本発明はこれに限定されず、光源に供給する電圧を低くして減光することもできる。この場合、光源からインテグレータロッドに入射する光の減光を電気的に極めて容易に行うことができる。
【００４８】
この他、本実施形態においては、電気光学変調装置が反射型である場合について説明したが、本発明はこれに限定されず、透過型であってもよい。
また、本実施形態においては、単一の電気光学変調装置をもつプロジェクタに適用する場合について説明したが、本発明はこれに限定されず、複数（２個，３個又はそれ以上）の電気光学変調装置をもつプロジェクタにも本実施形態と同様に適用可能である。
【００４９】
また、本実施形態においては、ＳＣＲ方式のプロジェクタについて説明したが、本発明はこれに限定されず、光源光をより均一な照明光にするためのインテグレータロッドを備えたプロジェクタであれば本実施形態と同様に適用可能である。
【図面の簡単な説明】
【図１】実施形態に係るプロジェクタを示す平面図と斜視図。
【図２】実施形態に係るインテグレータロッドを示す側面図。
【図３】インテグレータロッドの光結合方法を説明する平面図。
【図４】減光フィルタを示す斜視図。
【図５】ＳＣＲ方式によるプロジェクタを示す平面図。
【図６】ＳＣＲ方式によるインテグレータロッドを示す斜視図。
【図７】図６のインテグレータロッドを示す側面図。
【符号の説明】
１  プロジェクタ、２  照明装置、３  電気光学変調装置、４  投写レンズ、５光源、５Ａ  光源ランプ、５Ｂ  リフレクタ、６  インテグレータ光学系、６Ａ  インテグレータロッド、６Ｂ  伝達レンズ、６Ｃ  反射ミラー、６ａ１  界面、６ｃ  開口部、７  回転色フィルタ、８  リレー光学系、８Ａ  入射側レンズ、８Ｂ  リレーレンズ、８Ｃ  射出側レンズ  ９  反射ミラー  、１０  フィールドレンズ
【図１】
2004170615.tif 000003
【図２】
2004170615.tif 000004
【図３】
2004170615.tif 000005
【図４】
2004170615.tif 000006
【図５】
2004170615.tif 000007
【図６】
2004170615.tif 000008
【図７】
2004170615.tif 000009